(57)【要約】      （修正有）【課題】植木鉢を受ける鉢受け皿に上載し、植木鉢との間に介在させるだけで、水分を好まない蘭や君子欄等の植物根に水が伝わるのを防止し、根の腐食を起こすことを防止できる鉢受け皿用スノコを提供する。【解決手段】植木鉢Ａを受ける鉢受け皿Ｂに上載され、植木鉢との間に介在させて植木鉢の排水口Ｃの位置を高くした鉢受け皿用スノコ１であって、鉢受け皿用スノコは、上面に植木鉢を載置する載置部が形成され、載置部には載置部に溜まった水を鉢受け皿に排水する排水口が形成され、受け皿の上に鉢受け皿用スノコを上載し鉢受け皿用スノコの上に植木鉢を上載した際における植木鉢の排水口の高さを鉢受け皿の上端縁よりも高くするリブが載置部から下方に延設されていることを特徴とする。【選択図】図３
0003188509.tif 000002
【実用新案登録請求の範囲】
【請求項１】
植木鉢を受ける鉢受け皿に上載され、植木鉢との間に介在させて植木鉢の排水口の位置を高くしたことを特徴とする鉢受け皿用スノコ。
【請求項２】
前記鉢受け皿用スノコには、植木鉢に形成された排水口と略対面する位置に排水口を形成した請求項１記載の鉢受け皿用スノコ。
【請求項３】
前記鉢受け皿用スノコには、前記排水口を保持するフレームが設けられるとともに、前記排水口と前記フレームとの間には複数個の小排水口を形成した請求項２に記載の鉢受け皿用スノコ。
【考案の詳細な説明】
【技術分野】
【０００１】
本考案は鉢受け皿用スノコに関するものである。
【背景技術】
【０００２】
従来、植木鉢の下に水を受ける鉢受け皿を設けて、植木鉢に注水した水が床面などにこぼれないようにしている。植木鉢に植えた植物が水分を好む植物であれば問題が発生しないが、水やりを行った後に鉢受け皿に残った水が植木鉢の底の排水口から毛細現象を起こして植物の根に伝わり、水分を好まない蘭や君子欄等の植物にとって、根の腐食を起こす大きな原因になる。
【０００３】
根の腐食を防止すべく、多くの人が水やりを行った後、鉢受け皿に残る水を捨てる為、鉢を持ち上げているのが、小さい植木鉢であれば簡単ではあるが、大きな重い植木鉢になってくると、持ち上げるためには大きな力を必要とし容易ではないという問題点があった。
【０００４】
また、特許文献１に開示された鉢植え用スノコ及び植木鉢は、植木鉢の底部に装着されて排水性及び断熱性を向上させたものであり、水分を好まない蘭や君子欄等の植物根に水が伝わり、根の腐食を起こすことを解決するように工夫されておらず、このものを本考案のスノコに採用しても水分を好まない蘭や君子欄等の植物根に水が伝わり、根の腐食を起こすことを解決できないという問題点があった。
【先行技術文献】
【特許文献】
【０００５】
【特許文献１】特開２０００−１０２３２７号公報
【考案の概要】
【考案が解決しようとする課題】
【０００６】
本考案は、上記従来の課題を解決するものであり、植木鉢を受ける鉢受け皿に上載し、植木鉢との間に介在させるだけで、水分を好まない蘭や君子欄等の植物根に水が伝わるのを防止し、根の腐食を起こすことを防止できる鉢受け皿用スノコを提供するものである。
【課題を解決するための手段】
【０００７】
上記課題を解決するため、本考案の鉢受け皿用スノコは、植木鉢を受ける鉢受け皿に上載し、植木鉢との間に介在させて植木鉢の排水口の位置を高くしたことを特徴とする。
【考案の効果】
【０００８】
本考案の鉢受け皿用スノコは、植木鉢を受ける鉢受け皿に上載し、植木鉢との間に介在させて植木鉢の排水口の位置を高くしたことを特徴とするものであるから、鉢植された植物に水を多く注ぎすぎて鉢受け皿に水が溜まるようなことが起きたとしても、鉢の底の排水口の部分に水面が触れることが無くなり、鉢の底の部分の排水口から鉢の中の根の部分に水分が毛細現象を起こして伝わることがなくなり、根の部分を腐食させることなく鉢植えされた植物を安定した状態に保つことが出来るという効果がある。
【図面の簡単な説明】
【０００９】
【図１】本考案の鉢受け皿用スノコの平面図である。
【図２】図１におけるＸ−Ｘ断面図である。
【図３】本考案の鉢受け皿用スノコを鉢受け皿と植木鉢との間に介在させた状態の正面図である。
【図４】従来例の正面図である。
【考案を実施するための形態】
【００１０】
以下、本考案を実施の形態の一例を図１乃至図３に基づいて詳述すると、鉢受け皿用スノコ１は、植木鉢Ａを受ける鉢受け皿Ｂに上載し、植木鉢Ａとの間に介在させて植木鉢Ａの排水口Ｃの位置を高くしている。
【００１１】
鉢受け皿用スノコ１は、合成樹脂材で植木鉢Ａと鉢受け皿Ｂとの間に介在される形状に形成されている。実施例は平面形状円形であるが、合成樹脂材で植木鉢Ａと鉢受け皿Ｂと対応した形状であれば、三角形、四角形、五角形、六角形でも構わないものである。
【００１２】
鉢受け皿用スノコ１は、上面に植木鉢Ａを載置する載置部２が形成されている。載置部２は、鉢の重量に耐え得る厚みに形成されており、３ミリメートル程度にしている。載置部２の全周には、鉢受け皿Ｂの外周壁Ｄと対応した形状に形成された外方に行くに従って上方に延びる上り傾斜のガイド部３が一体的に形成されている。ガイド部３は傾斜せずに垂直壁で形成されたものは、植木鉢Ａの落下防止用の壁とすることができるものである。ガイド部３を設けることで、鉢受け皿用スノコ１の外周においては鉢が滑って落下したり傾かないように滑り止めを施して安定して鉢が置けるように工夫をしている。
【００１３】
載置部２には植木鉢Ａの底板に形成された排水口Ｃと対面する位置に排水口４が形成されており、植木鉢Ａの排水口Ｃから滴下した水がスムーズに鉢受け皿用スノコ１を介して鉢受け皿Ｂに導入されるようにしている。排水口４とガイド部３とは排水口４から十字状に延設された連結部材５により連結されている。連結部材５は、鉢受け皿Ｂに接するようになっているが、接しないように形成されていても構わないものである。排水口４とガイド部３と連結部材５とで囲まれた載置部２には、複数の四角形状の小排水口６が形成されており、空気の通りが良くなって鉢受け皿Ｂに溜まった水が蒸発しやすくなっている。小排水口６を四角形状にすることで、小排水口６の面積を大きくすることができるが、四角形に限定されるものではない。載置部２から下方に延設され鉢受け皿Ｂに接する円筒形状のリブ７には連結部材５と連結部材５との間に通常の植木鉢と同様の凹曲面状の排水溝が形成されている。排水口４と小排水口６とは排水口４に接する小排水口６が連通しており、小排水口６から排水口４に排水できるようになっている。
【００１４】
図３に示すように、鉢受け皿Ｂの上に鉢受け皿用スノコ１を上載し、鉢受け皿用スノコ１の上に植木鉢Ａを上載すると、植木鉢Ａの排水口Ｃの高さが鉢受け皿Ｂの上端縁よりも高くなっており、例え、鉢植された植物に水を多く注ぎすぎて鉢受け皿Ｂに水が溜まるようなことが起きたとしても、鉢の底の排水口の部分に水面が触れることが無くなり、植木鉢Ａの排水口Ｃから鉢の中の根の部分に水分が毛細現象を起こして伝わることがなくなり、根の部分を腐食させることなく鉢植えされた植物を安定した状態に保つことが出来るという効果がある。根の腐食を防止すべく、多くの人が水やりを行った後、鉢受け皿に残る水を捨てる必要も無く、重労働が解消されるという効果もある。鉢植された植物に水を多く注ぎすぎて鉢受け皿Ｂに水が溢れて床面が濡れるのを防止するには、鉢受け皿Ｂの上端縁よりも突出する外周壁を持った鉢受け皿用の受け皿を用いれば良い。
【００１５】
本考案は、鉢植えの植物に水やりを行った後、鉢受け皿Ｂに水が溜まることがあっても、植木鉢Ａの排水口Ｃを鉢受け皿用スノコ１で水面より上になるように工夫をして毛細現象が起きないようしている。
【符号の説明】
【００１６】
１  鉢受け皿用スノコ
２  載置部
３  ガイト゛部
４  排水口
５  連結部材
６  小排水口
７  凹曲面部
Ａ  植木鉢
Ｂ  鉢受け皿
Ｃ  植木鉢Ａの排水口
Ｄ  鉢受け皿Ｂの外周壁
【図１】
0003188509.tif 000003
【図２】
0003188509.tif 000004
【図３】
0003188509.tif 000005
【図４】
0003188509.tif 000006
【手続補正書】
【提出日】平成25年11月15日(2013.11.15)
【手続補正１】
【補正対象書類名】実用新案登録請求の範囲
【補正対象項目名】全文
【補正方法】変更
【補正の内容】
【実用新案登録請求の範囲】
【請求項１】
植木鉢を受ける鉢受け皿に上載され、植木鉢との間に介在させて植木鉢の排水口の位置を高くした鉢受け皿用スノコであって、前記鉢受け皿用スノコは、上面に植木鉢を載置する載置部が形成され、前記載置部には載置部に溜まった水を前記鉢受け皿に排水する排水口が形成され、前記受け皿の上に前記鉢受け皿用スノコを上載し前記鉢受け皿用スノコの上に植木鉢を上載した際における植木鉢の排水口の高さを鉢受け皿の上端縁よりも高くするリブが前記載置部から下方に延設されていることを特徴とする鉢受け皿用スノコ。
【請求項２】
前記鉢受け皿用スノコには、植木鉢に形成された排水口と略対面する位置に排水口を形成した請求項１記載の鉢受け皿用スノコ。
【請求項３】
前記鉢受け皿用スノコには、前記鉢受け皿用スノコの排水口を保持する連結部材が設けられるとともに、前記鉢受け皿用スノコの排水口と前記連結部材との間には複数個の小排水口を形成した請求項２に記載の鉢受け皿用スノコ。